(57)【要約】【課題】セキュリティを高め得るようにする。【解決手段】下部筐体２２内に収納された状態から外部へ取り出された状態となる下部ユニット２６に対し着脱可能に構成された２金種紙幣収納庫４２に内蔵された上側収納スペース４８Ａ及び下側収納スペース４８Ｂと、入出口４６から分岐箇所５４において分岐し上側収納スペース４８Ａと下側収納スペース４８Ｂとにそれぞれ繋がり紙幣を搬送させる搬送路５２と、分岐箇所５４に配され、入出口４６から上側収納スペース４８Ａ又は下側収納スペース４８Ｂまでの紙幣の搬送を切り替えると共に、２金種紙幣収納庫４２の入出口４６が下部筐体２２の外部に露出する際、入出口４６から上側収納スペース４８Ａへの搬送路５２を遮断する切替器７０とを設けるようにした。【選択図】図７
2014191447.tif 000002
【特許請求の範囲】
【請求項１】
所定の空間を内部に具える筐体と、
上記筐体内に収納された収納状態から引き出されることにより引出状態となるユニットと、
上記ユニットに対し着脱可能に構成され内部に媒体を収納する第１収納部と、
上記第１収納部に隣接して配され内部に上記媒体を収納する第２収納部と、
少なくとも上記第１収納部が収納された媒体収納庫の外部と内部とで上記媒体を受け渡す入出口から分岐箇所において分岐し上記第１収納部と上記第２収納部とにそれぞれ繋がり上記媒体を搬送させる搬送路と、
上記搬送路における上記分岐箇所に配され、上記媒体を、上記入出口と上記第１収納部との間を搬送させる第１搬送状態か、又は当該入出口と上記第２収納部との間を搬送させる第２搬送状態かを切り替えると共に、当該入出口が上記筐体の外部に露出する際、当該入出口と上記第１収納部との間の上記搬送路を遮断する遮断状態となる遮断部と
を有する媒体収納装置。
【請求項２】
上記筐体に設けられ開放又は閉鎖されることにより上記ユニットを外部に対し露出又は遮断させる扉
をさらに有し、
上記遮断部は、上記扉が開放された際に上記遮断状態となる
請求項１に記載の媒体収納装置。
【請求項３】
上記遮断部の上記遮断状態を保持するロック部
をさらに有する
請求項２に記載の媒体収納装置。
【請求項４】
上記ロック部は、上記ユニットから上記媒体収納庫が取り外される際に上記遮断状態を保持するロック状態となる
請求項３に記載の媒体収納装置。
【請求項５】
上記ロック部は、上記扉が開放された際に上記遮断状態を保持するロック状態となる
請求項３に記載の媒体収納装置。
【請求項６】
上記筐体に設けられ開放又は閉鎖されることにより上記ユニットを外部に対し露出又は遮断させる扉
をさらに有し、
上記遮断部は、上記扉が開放され上記ユニットから上記媒体収納庫が取り外される際に上記遮断状態となる
請求項１に記載の媒体収納装置。
【請求項７】
上記ユニットから上記媒体収納庫が取り外される際に上記遮断状態を保持するロック状態となるロック部
をさらに有する
請求項６に記載の媒体収納装置。
【請求項８】
上記第１収納部は、上記第２収納部よりも上記入出口近傍に配されている
請求項１に記載の媒体収納装置。
【請求項９】
上記遮断部は、回動することにより、上記第１搬送状態においては上記入出口と上記第２収納部との間の上記搬送路を遮断し、上記第２搬送状態においては上記入出口と上記第１収納部との間の上記搬送路を遮断する
請求項１に記載の媒体収納装置。
【請求項１０】
上記媒体収納庫は、付勢機構により上記遮断部を上記第２搬送状態に向けて付勢すると共に、上記ユニットから供給される電力により上記遮断部を上記第１搬送状態に向けて付勢し、上記ユニットから取り外される際に上記電力が遮断され、上記付勢機構により上記遮断部を上記第２搬送状態に移行させる
請求項９に記載の媒体収納装置。
【請求項１１】
上記搬送路は、対向する１対のガイドにより構成され、
上記遮断部は、対向する一方のガイドの内壁面よりも上記第１搬送状態において先端が奥側に位置し、対向する他方のガイドの内壁面よりも上記第２搬送状態において先端が奥側へ位置する
請求項９に記載の媒体収納装置。
【請求項１２】
上記媒体収納庫は、上記第１収納部と上記第２収納部とを内部に収納し、上記ユニットに対し着脱可能に構成されている
請求項１に記載の媒体収納装置。
【請求項１３】
所定の空間を内部に具える筐体と、
上記筐体内に収納された収納状態から引き出されることにより引出状態となるユニットと、
上記ユニットに設けられ上記媒体に関する取引を受け付ける接客部と、
上記ユニットに対し着脱可能に構成され上記接客部から受け付けた媒体を内部に収納する第１収納部と、
上記第１収納部に隣接して配され内部に上記媒体を収納する第２収納部と、
少なくとも上記第１収納部が収納された媒体収納庫の外部と内部とで上記媒体を受け渡す入出口から分岐箇所において分岐し上記第１収納部と上記第２収納部とにそれぞれ繋がり上記媒体を搬送させる搬送路と、
上記搬送路における上記分岐箇所に配され、上記媒体を、上記入出口と上記第１収納部との間を搬送させる第１搬送状態か、又は当該入出口と上記第２収納部との間を搬送させる第２搬送状態かを切り替えると共に、当該入出口が上記筐体の外部に露出する際、当該入出口と上記第１収納部との間の上記搬送路を遮断する遮断状態となる遮断部と
を有する媒体取引装置。
【発明の詳細な説明】
【技術分野】
【０００１】
本発明は、媒体収納装置及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う接客部と、投入された紙幣の金種及び真偽を鑑別する鑑別部と、投入された紙幣を一時的に保留する一時保留部と、金種ごとに紙幣を格納する金種カセットとを有するものがある。
【０００４】
このような現金自動取引装置には、図１４に示すように、上側収納スペース４８Ａと下側収納スペース４８Ｂとを２金種紙幣収納庫３４２内の上部と下部に設け、内部に設けられた切替器３７０で紙幣ＢＬを振り分けることにより、１個の紙幣収納庫で２つの金種に対応できるようにしたものが提案されている（例えば特許文献１参照）。
【０００５】
これにより、金種ごとの集積枚数は減少するものの、現金自動取引装置の筐体のサイズなどはそのままに、多くの金種を扱うことができ、この結果、様々な国の多様な紙幣に対応可能な現金自動取引装置を低コストで実現できる。
【０００６】
この２金種紙幣収納庫３４２は、上側収納スペース４８Ａに収納された紙幣ＢＬを外部と受け渡しする際は、図１４に示したように切替器３７０を図中反時計回りに回動させ当該上側収納スペース４８Ａと入出口４６との間の搬送路５２を遮断しない上層搬送状態とする。
【０００７】
一方２金種紙幣収納庫３４２は、下側収納スペース４８Ｂに収納された紙幣ＢＬを外部と受け渡しする際は、切替器３７０を図中時計回りに回動させ当該下側収納スペース４８Ｂと入出口４６との間の搬送路５２を遮断しない上層搬送状態とする。
【先行技術文献】
【特許文献】
【０００８】
【特許文献１】特開２００８−１５２４３０公報
【発明の概要】
【発明が解決しようとする課題】
【０００９】
この現金自動取引装置においては、２金種紙幣収納庫３４２が当該現金自動取引装置から取り外された際、切替器３７０が上層搬送状態になっていた場合、入出口４６から工具を２金種紙幣収納庫３４２の内部へ入れられて上側収納スペース４８Ａへアクセスされ紙幣ＢＬが抜き取られてしまい、セキュリティが保てないおそれがあった。
【００１０】
本発明は以上の点を考慮してなされたもので、セキュリティを高め得る媒体収納装置及び媒体取引装置を提案しようとするものである。
【課題を解決するための手段】
【００１１】
かかる課題を解決するため本発明の媒体収納装置においては、所定の空間を内部に具える筐体と、筐体内に収納された収納状態から引き出されることにより引出状態となるユニットと、ユニットに対し着脱可能に構成され内部に媒体を収納する第１収納部と、第１収納部に隣接して配され内部に媒体を収納する第２収納部と、少なくとも第１収納部が収納された媒体収納庫の外部と内部とで媒体を受け渡す入出口から分岐箇所において分岐し第１収納部と第２収納部とにそれぞれ繋がり媒体を搬送させる搬送路と、搬送路における分岐箇所に配され、媒体を、入出口と第１収納部との間を搬送させる第１搬送状態か、又は当該入出口と第２収納部との間を搬送させる第２搬送状態かを切り替えると共に、当該入出口が筐体の外部に露出する際、当該入出口と第１収納部との間の搬送路を遮断する遮断状態となる遮断部とを設けるようにした。
【００１２】
この媒体収納装置は、媒体収納庫の外部から入出口を介し第１収納部の内部の媒体へアクセスされることを防止できる。
【００１３】
また本発明の媒体取引装置においては、所定の空間を内部に具える筐体と、筐体内に収納された収納状態から引き出されることにより引出状態となるユニットと、ユニットに設けられ媒体に関する取引を受け付ける接客部と、ユニットに対し着脱可能に構成され接客部から受け付けた媒体を内部に収納する第１収納部と、第１収納部に隣接して配され内部に媒体を収納する第２収納部と、少なくとも第１収納部が収納された媒体収納庫の外部と内部とで媒体を受け渡す入出口から分岐箇所において分岐し第１収納部と第２収納部とにそれぞれ繋がり媒体を搬送させる搬送路と、搬送路における分岐箇所に配され、媒体を、入出口と第１収納部との間を搬送させる第１搬送状態か、又は当該入出口と第２収納部との間を搬送させる第２搬送状態かを切り替えると共に、当該入出口が筐体の外部に露出する際、当該入出口と第１収納部との間の搬送路を遮断する遮断状態となる遮断部とを設けるようにした。
【００１４】
この媒体取引装置は、媒体収納庫の外部から入出口を介し第１収納部の内部の媒体へアクセスされることを防止できる。
【発明の効果】
【００１５】
本発明によれば、媒体収納庫の外部から入出口を介し第１収納部内部の媒体へアクセスされることを防止できる。かくして本発明は、セキュリティを高め得る媒体収納装置及び媒体取引装置を実現できる。
【図面の簡単な説明】
【００１６】
【図１】現金自動取引装置の構成（１）を示す斜視図である。
【図２】現金自動取引装置の構成（２）を示す左側面図である。
【図３】前面扉開放状態を示す左側面図である。
【図４】下部ユニット引出状態を示す左側面図である。
【図５】紙幣収納庫取出状態を示す左側面図である。
【図６】２金種紙幣収納庫の構成を示す左側面図である。
【図７】第１の実施の形態による搬送切替機構の上層搬送状態を示す左側面図である。
【図８】第１の実施の形態による搬送切替機構の下層搬送状態を示す左側面図である。
【図９】第１の実施の形態による搬送切替機構の構成を示す正面図である。
【図１０】ロック解除状態を示す左側面図である。
【図１１】ロック状態を示す左側面図である。
【図１２】第２の実施の形態による搬送切替機構の構成を示す正面図である。
【図１３】第３の実施の形態による搬送切替機構の下層搬送状態を示す左側面図である。
【図１４】従来の２金種紙幣収納庫の構成を示す左側面図である。
【発明を実施するための形態】
【００１７】
以下、発明を実施するための形態（以下実施の形態とする）について、図面を用いて説明する。
【００１８】
［１．第１の実施の形態］
［１−１．現金自動取引装置の全体構成］
図１及び図２に示すように、現金自動取引装置１は金融機関の行員（例えば受付窓口員）が操作する行員操作型端末であり、行員の操作に基づいて紙幣の入出金処理を行うようになされている。
【００１９】
この現金自動取引装置１は、箱型の筐体１０の上側において紙幣の投入やタッチパネルによる操作等をしやすい箇所、すなわち前面の上部から上面に渡る部分が斜めに傾斜した上部ユニット２４が設けられており、当該上部ユニット２４には、接客部１３が設けられている。
【００２０】
接客部１３は、入金口１４、出金口１６及び表示操作部１８が設けられており、利用者との間で現金を直接やり取りすると共に、取引に関する情報の通知や操作指示の受付を行うようになされている。
【００２１】
筐体１０は、上側に位置し箱型であり前方の一面が開口する上部筐体２０と、下側に位置し箱型であり強固な下部筐体２２とから構成されている。
【００２２】
現金自動取引装置１は、上側には上部筐体２０に囲まれた上部ユニット２４が、下側には下部筐体２２に囲まれた下部ユニット２６がそれぞれ設けられている。
【００２３】
上部ユニット２４には、入金口１４、出金口１６、表示操作部１８、鑑別部３０、一時保留部３１及び制御部３２等が設けられ、当該入金口１４、出金口１６、鑑別部３０及び一時保留部３１を繋ぐ紙幣搬送路２８が設けられている。
【００２４】
この紙幣搬送路２８の分岐箇所には切替器２９が配置され、制御部３２の制御に基づき回動することにより、紙幣の搬送先を切り替える。
【００２５】
入金口１４は、行員により入金紙幣が投入されると、これを１枚ずつ分離して現金自動取引装置１内に取り込む。
【００２６】
出金口１６は、金種毎等に出金紙幣を集積して、これを行員に取り出させるようになされている。またこの出金口１６には、当該出金口１６を開閉するシャッタ（図示せず）が設けられ、紙幣の排出時に開くようになっている。
【００２７】
表示操作部１８は液晶ディスプレイ及びタッチパネルが組み合わされて構成され、メニュー画面、各種処理の結果画面等を表示する。
【００２８】
制御部３２は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００２９】
また制御部３２は、内部にＲＡＭ（Random Access Memory）、ハードディスクドライブやフラッシュメモリ等でなる記憶部を有しており、この記憶部に種々の情報を記憶させるようになされている。
【００３０】
制御部３２は、現金自動取引装置１に設けられた各種センサから検出結果を取得し当該検出結果に基づいて各部を制御する。
【００３１】
鑑別部３０は、その内部で紙幣を搬送しながら、光学素子や磁気検出素子等を用いて当該紙幣の金種及び真偽、並びに損傷の程度等を鑑別する。この鑑別部３０は、取り扱うことのできる正常紙幣か取り扱うことのできないリジェクト紙幣かをその鑑別結果に基づいて紙幣毎に判定する。
【００３２】
一時保留部３１は、入金口１４から取り込まれ鑑別部３０により正常紙幣と判定された紙幣を一時的に集積する。一時保留部３１に集積された紙幣は、取引成立後に一時保留部３１から繰り出されて鑑別部３０に搬送され、鑑別部３０により金種が特定された後、１金種紙幣収納庫４０又は２金種紙幣収納庫４２に搬送され収納される。
【００３３】
下部筐体２２は、前面側の側面に開閉可能な前面扉２２Ａが設けられている。前面扉２２Ａは、例えば下部筐体２２の前面の左縁に設けられた蝶番を支点として当該前面扉２２Ａの右端側が大きく動きつつ開放又は閉鎖するよう移動する。
【００３４】
また下部筐体２２には、前面扉２２Ａが開放されているか閉鎖されているかを検出する図示しない扉センサが設けられ、当該扉センサは、検出結果を制御部３２へ供給する。
【００３５】
下部筐体２２は、行員との間で取引処理が行われる取引動作時の場合には前面扉２２Ａを閉鎖することにより、現金自動取引装置１に収納している紙幣を保護する。
【００３６】
一方下部筐体２２は、保守作業者や金融機関の係員等により下部ユニット２６の保守作業が行われる保守作業時の場合には、必要に応じて前面扉２２Ａを開放することにより、内部の各部に対する作業を容易に行わせ得るようになされている。
【００３７】
図２に示したように、下部ユニット２６は箱型であり、紙幣収納部３４及びリジェクト庫３８が内部に組み込まれている。
【００３８】
紙幣収納部３４には、複数（例えば５個）の縦長に区切られたスペースであるスロットが前後方向に並べて設けられ、それぞれのスロット内に、１金種の紙幣を内部に収納する１金種紙幣収納庫４０と、２金種の紙幣を内部に収納する２金種紙幣収納庫４２と（以下ではまとめて紙幣収納庫４４とも呼ぶ）を着脱自在に装填可能に構成されている。
【００３９】
紙幣収納庫４４は、それぞれ紙幣の金種別に前後方向に並んで配置され、紙幣を金種毎に収納可能な縦長の内部空間を有している。この紙幣収納庫４４には、当該紙幣収納庫４４の外部と内部とを挿通する入出口が上面に設けられ、当該入出口に紙幣搬送路２８が接続されている。紙幣収納庫４４は、紙幣搬送路２８を介して搬送されてくる紙幣を内部に上下方向に重ねて集積する。
【００４０】
また紙幣収納庫４４は、紙幣を収納するだけでなく、内部に集積されている紙幣を１枚ずつ紙幣搬送路２８に繰り出すことができるようにもなされている。
【００４１】
この紙幣収納庫４４は、紙幣収納部３４に格納された状態において、現金自動取引装置１の図示しない電源部と紙幣収納庫４４とに設けられた図示しないコネクタが接続されていることにより現金自動取引装置１から電力が供給されており、当該紙幣収納庫４４の内部に設けられた各種ローラや切替器等を可動させることにより紙幣を搬送させる。
【００４２】
リジェクト庫３８は、行員から入金された紙幣や、紙幣収納庫４４から排出された紙幣が鑑別部３０によってリジェクト紙幣と判定された場合に当該紙幣を集積する。
【００４３】
下部ユニット２６は、図示しないスライドレールを介して下部筐体２２に取り付けられている。スライドレールは、前後方向に延長されたレール状の部品や複数のローラ等（図示せず）の組み合わせにより構成されており、下部筐体２２に対し下部ユニット２６を前方向又は後方向へ直線的に且つ円滑に移動させるようになされている。
【００４４】
現金自動取引装置１は、取引動作時には図２に示したように下部ユニット２６を下部筐体２２の内部の収納位置に収納することにより、当該下部ユニット２６内の各部や紙幣等を保護する。以下ではこれを下部ユニット収納状態と呼ぶ。
【００４５】
一方現金自動取引装置１は、下部ユニット２６の保守作業時や紙幣の充填作業が行われる場合、図３に示すように前面扉２２Ａを開放させ、図４に示すように下部ユニット２６を前方向へ移動させて、当該下部ユニット２６のほぼ全体を下部筐体２２の外部に引き出した状態とする。
【００４６】
以下では、下部ユニット２６が下部筐体２２からほぼ全体が引き出されているか否かにかかわらず、当該下部ユニット２６が収納位置から前側に引き出された状態を下部ユニット引出状態と呼ぶ。
【００４７】
そして利用者は、図５に示すように、下部ユニット引出状態において例えば２金種紙幣収納庫４２を掴んで上方へ持ち上げることにより、紙幣収納部３４から２金種紙幣収納庫４２を取り出し、当該２金種紙幣収納庫４２に対し紙幣の充填作業や回収作業を行う。以下ではこの状態を紙幣収納庫取出状態と呼ぶ。
【００４８】
この紙幣収納庫取出状態においては、紙幣収納庫４４の上方向への移動によってコネクタが外れることにより、現金自動取引装置１から紙幣収納庫４４に供給されていた電力が遮断される。
【００４９】
かかる構成において現金自動取引装置１は、鑑別部３０による紙幣の鑑別結果等をもとに制御部３２が各部を制御して、紙幣の入金処理及び出金処理を行う。
【００５０】
すなわち現金自動取引装置１は、入金取引時、行員により表示操作部１８を介して入金取引が選択され、さらに入金口１４に紙幣が投入されると、投入された紙幣を１枚ずつ鑑別部３０に搬送する。
【００５１】
ここで現金自動取引装置１は、鑑別部３０により正常紙幣と判定された紙幣については一時保留部３１に搬送して一時的に収納する。一方で現金自動取引装置１は、入金に適さない入金リジェクト紙幣と判定された紙幣については出金口１６へ戻して、シャッタを開くことで行員に返却する。
【００５２】
その後行員により入金金額が確定されると、現金自動取引装置１は一時保留部３１に収納している紙幣を鑑別部３０に搬送して金種を鑑別し、その金種に応じて、各紙幣収納庫４４へ搬送して保管する。
【００５３】
一方出金取引時、現金自動取引装置１は、行員により表示操作部１８を介して出金取引が選択され出金金額が入力されると、要求金額に応じて必要な金種毎の紙幣枚数を認識し、この金種毎の紙幣枚数に応じて各紙幣収納庫４４から紙幣を繰り出して、鑑別部３０に搬送する。
【００５４】
ここで現金自動取引装置１は、鑑別部３０により正常紙幣と判定された紙幣については出金口１６に搬送する一方で、出金に適さない出金リジェクト紙幣と判定された紙幣については一時保留部３１に搬送して一時的に収納する。
【００５５】
そして要求金額分の紙幣が出金口１６へ集積されると、現金自動取引装置１は、シャッタを開ける。これにより出金口１６内に集積されている紙幣の受け取りが可能な状態となり、行員がこの紙幣を受け取る。
【００５６】
その後現金自動取引装置１は、一時保留部３１に収納している出金リジェクト紙幣をリジェクト庫３８へと搬送して保管する。
【００５７】
このように現金自動取引装置１は、紙幣の入金処理及び出金処理を行うようになされている。
【００５８】
［１−２．２金種紙幣収納庫の構成］
図６に示すように、２金種紙幣収納庫４２内には、縦長直方体形状の上側収納スペース４８Ａ及び下側収納スペース４８Ｂ（以下ではまとめて収納スペース４８とも呼ぶ）が、それぞれ上側と下側とに配置されている。
【００５９】
また２金種紙幣収納庫４２の天板の後端寄りには入出口４６が設けられ、当該２金種紙幣収納庫４２の内部には、当該入出口４６と上側収納スペース４８Ａ及び下側収納スペース４８Ｂとを繋ぐ搬送路５２が設けられている。
【００６０】
２金種紙幣収納庫４２の入出口４６近傍と、下側収納スペース４８Ｂの近傍とには、搬送路５２を挟んで後側及び前側にそれぞれアイドルローラ５６（５６Ａ及び５６Ｂ）及び搬送ローラ５８（５８Ａ及び５８Ｂ）が対向配置されている。
【００６１】
またアイドルローラ５６Ａ及び搬送ローラ５８Ａと上側収納スペース４８Ａとの間には、搬送路５２を挟んで上側及び下側にそれぞれフィードローラ６０Ａ及びゲートローラ６２Ａが対向配置されている。さらにアイドルローラ５６Ｂ及び搬送ローラ５８Ｂと下側収納スペース４８Ｂとの間には、搬送路５２を挟んで上側及び下側にそれぞれフィードローラ６０Ｂ及びゲートローラ６２Ｂが対向配置されている。
【００６２】
ゲートローラ６２（６２Ａ及び６２Ｂ）の回転軸には、ゴム等の弾性部材で形成された舌片６４（６４Ａ及び６４Ｂ）が設けられている。この舌片６４は、ゲートローラ６２と共に時計回りに回転することにより、収納スペース４８へ放出された紙幣ＢＬの後端部分を下方向へ向けて叩き落とす。
【００６３】
フィードローラ６０（６０Ａ及び６０Ｂ）及びゲートローラ６２（６２Ａ及び６２Ｂ）の前方であり上側収納スペース４８Ａ及び下側収納スペース４８Ｂの上方には、ピッカローラ６６（６６Ａ及び６６Ｂ）が配置されている。
【００６４】
上側収納スペース４８Ａ及び下側収納スペース４８Ｂの下側には、上下方向に沿って移動可能なステージ６８（６８Ａ及び６８Ｂ）が設けられている。
【００６５】
搬送路５２は、入出口４６近傍の分岐箇所５４において、一方は前方斜め下に分岐してフィードローラ６０Ａ及びゲートローラ６２の間まで延び、他方は下方向へ向かってアイドルローラ５６Ｂ及び搬送ローラ５８Ｂの間まで延びている。
【００６６】
またこの分岐箇所５４には、制御部３２の制御をもとに回動することにより紙幣の搬送方向を上側収納スペース４８Ａと下側収納スペース４８Ｂとの何れかに切り替えることのできる、切替器７０等からなる搬送切替機構７１が配置されている。
【００６７】
２金種紙幣収納庫４２の底板には、紙幣収納部３４のスロットの底板に設けられた電気インタフェースの図示しない収納部コネクタと対向する位置に、当該収納部コネクタと接続する図示しない収納庫コネクタが設けられている。この収納庫コネクタは切替器７０、ステージ６８、アイドルローラ５６、搬送ローラ５８、フィードローラ６０、ゲートローラ６２及びピッカローラ６６等に電気的に接続されている。
【００６８】
この２金種紙幣収納庫４２が紙幣収納部３４に格納された際、収納庫コネクタは収納部コネクタと接続されて現金自動取引装置１から電力及び制御信号を供給され、当該電力及び制御信号を切替器７０、ステージ６８、アイドルローラ５６、搬送ローラ５８、フィードローラ６０、ゲートローラ６２及びピッカローラ６６等に電気的に供給することにより駆動する。
【００６９】
一方２金種紙幣収納庫４２が紙幣収納部３４から取り外された際、収納庫コネクタは収納部コネクタと抜脱されて現金自動取引装置１からの電力及び制御信号の供給が遮断される。
【００７０】
かかる構成において上側収納スペース４８Ａに紙幣を集積する場合、現金自動取引装置１は、図７に示すように切替器７０を反時計回りに回動させることにより紙幣の搬送先を上側収納スペース４８Ａへ切り替える。以下ではこの状態を上層搬送状態とも呼ぶ。この上層搬送状態は、下側収納スペース４８Ｂへの紙幣の搬送を遮断するものでもあるため、この状態を下層遮断状態とも呼ぶ。
【００７１】
現金自動取引装置１は、紙幣搬送路２８（図２）から入出口４６を通し搬入した紙幣をアイドルローラ５６Ａ及び搬送ローラ５８Ａ（図６）により取り込み、切替器７０を介しフィードローラ６０Ａとゲートローラ６２Ａの間に送り込んで挟持し上側収納スペース４８Ａ内に放出する。
【００７２】
現金自動取引装置１は、上側収納スペース４８Ａ内に放出した紙幣の後端を舌片６４Ａで叩き落として引き寄せ、ステージ６８Ａ上に集積された紙幣の上に集積する。
【００７３】
一方下側収納スペース４８Ｂに紙幣を集積する場合、現金自動取引装置１は、図８に示すように切替器７０を時計回りに回動させることにより紙幣の搬送先を下側収納スペース４８Ｂへ切り替える。以下ではこの状態を下層搬送状態とも呼ぶ。この下層搬送状態は、上側収納スペース４８Ａへの紙幣の搬送を遮断するものでもあるため、この状態を上層遮断状態とも呼ぶ。
【００７４】
現金自動取引装置１は、紙幣搬送路２８（図２）から入出口４６を通し搬入した紙幣をアイドルローラ５６Ａ及び搬送ローラ５８Ａ（図６）により取り込み、アイドルローラ５６Ｂ及び搬送ローラ５８Ｂにより搬送してフィードローラ６０Ｂとゲートローラ６２Ｂの間に送り込んで挟持し下側収納スペース４８Ｂ内に放出する。
【００７５】
現金自動取引装置１は、下側収納スペース４８Ｂ内に放出した紙幣の後端を舌片６４Ｂで叩き落として引き寄せ、ステージ６８Ｂ上に集積された紙幣の上に集積する。
【００７６】
現金自動取引装置１は、このような動作を繰り返すことにより収納スペース４８内に紙幣を集積していく。なおこのとき現金自動取引装置１は、収納スペース４８内において集積している紙幣の枚数に応じてステージ６８を下降させることにより、常にステージ６８の上方に紙幣を集積するスペースを確保する。
【００７７】
これに対して上側収納スペース４８Ａから紙幣を繰り出す場合、現金自動取引装置１は、図７に示したように切替器７０を反時計回りに回動させることにより紙幣の繰出元を上側収納スペース４８Ａへ切り替え上層搬送状態（下層遮断状態）とする。
【００７８】
現金自動取引装置１は、ステージ６８Ａを上昇させて当該ステージ６８Ａに集積されている最も上側の紙幣をピッカローラ６６Ａに押圧させ、当該ピッカローラ６６Ａを回転させる。
【００７９】
このとき現金自動取引装置１は、ゲートローラ６２Ａは停止させフィードローラ６０Ａのみを回転させることにより、最も上側の紙幣を２枚目以降の紙幣とは分離して、切替器７０を介しアイドルローラ５６Ａ及び搬送ローラ５８Ａへ送り込む。
【００８０】
現金自動取引装置１は、当該紙幣をアイドルローラ５６Ａ及び搬送ローラ５８Ａから送り出し、入出口４６から紙幣搬送路２８（図２）へと繰り出す。
【００８１】
一方下側収納スペース４８Ｂから紙幣を繰り出す場合、現金自動取引装置１は、図８に示したように切替器７０を時計回りに回動させることにより紙幣の繰出元を下側収納スペース４８Ｂへ切り替え下層搬送状態（上層遮断状態）とする。
【００８２】
現金自動取引装置１は、ステージ６８Ｂを上昇させて当該ステージ６８Ｂに集積されている最も上側の紙幣をピッカローラ６６Ｂに押圧させ、当該ピッカローラ６６Ｂを回転させる。
【００８３】
このとき現金自動取引装置１は、ゲートローラ６２Ｂは停止させフィードローラ６０Ｂのみを回転させることにより、最も上側の紙幣を２枚目以降の紙幣とは分離して、アイドルローラ５６Ｂ及び搬送ローラ５８Ｂへ送り込む。
【００８４】
現金自動取引装置１は、当該紙幣をアイドルローラ５６Ｂ及び搬送ローラ５８Ｂからアイドルローラ５６Ａ及び搬送ローラ５８Ａへ搬送し、入出口４６から紙幣搬送路２８へと繰り出す。
【００８５】
現金自動取引装置１は、このような動作を繰り返すことにより、収納スペース４８内に集積している紙幣を１枚ずつ繰り出されていく。
【００８６】
このようにして現金自動取引装置１は、２金種紙幣収納庫４２における上側収納スペース４８Ａ及び下側収納スペース４８Ｂに対し、紙幣の集積及び繰り出しを行う。
【００８７】
［１−３．搬送切替機構の構成］
図７乃至図９に示すように、搬送路５２の後側には後側ガイド７２が、前側には前側ガイド７４がそれぞれ設けられている。なお図９は下層搬送状態を表しており、後側ガイド７２は図示せず省略している。
【００８８】
この後側ガイド７２と前側ガイド７４との間には、紙幣ＢＬの厚さよりも充分に広い隙間が設けられており、この隙間から当該後側ガイド７２の前面及び前側ガイド７４の後面に沿って紙幣ＢＬを搬送するための搬送路５２が形成されている。
【００８９】
後側ガイド７２は、２金種紙幣収納庫４２の天板に沿って前方へ延び、入出口４６の後側において下方へ屈曲して延在し、前側ガイド７４は、２金種紙幣収納庫４２の天板に沿って後方へ延び、入出口４６の前側において下方へ屈曲して延在している。
【００９０】
前側ガイド７４は、入出口４６の前側において下方へ屈曲する前側上部ガイド７４Ａと、当該前側上部ガイド７４Ａと上下方向の隙間を開けて下方において上下方向に延在する前側下部ガイド７４Ｂとから構成されている。
【００９１】
後側ガイド７２の後側には、当該後側ガイド７２から前側を露出させるように円筒形状のアイドルローラ５６Ａが設けられている。前側上部ガイド７４Ａの前側下方には、当該前側上部ガイド７４Ａから後側を露出させるように円筒形状の搬送ローラ５８Ａが設けられている。
【００９２】
搬送ローラ５８Ａは、左右両端が２金種紙幣収納庫４２の収納庫左側板４２Ｌ及び収納庫右側板４２Ｒに取り付けられたローラシャフト７６に貫通され、搬送される紙幣の左右方向の幅よりも狭い間隔を空けて２個設けられおり、図示しない駆動機構を介して駆動力が当該ローラシャフト７６に伝達されることにより、当該ローラシャフト７６と共に双方向へ回転する。
【００９３】
切替器７０は、ブレード状に構成されており、正面視において中央部分に４枚設けられ、当該中央部分と搬送ローラ５８Ａを挟んで左側及び右側それぞれに４枚ずつ設けられている。
【００９４】
この切替器７０は、左右両端が２金種紙幣収納庫４２の収納庫左側板４２Ｌ及び収納庫右側板４２Ｒに取り付けられた切替器シャフト７８に貫通されており、図示しない駆動機構を介して駆動力が当該切替器シャフト７８に伝達されることにより、当該切替器シャフト７８と共に双方向へ回転する。
【００９５】
また切替器７０は、図７及び図８に示したように前側上部ガイド７４Ａと前側下部ガイド７４Ｂとの間に設けられ、後部において直線状に形成された後方ガイド部８０と、前部において搬送ローラ５８Ａの外形にほぼ沿うよう湾曲形状に形成された前方ガイド部８２とを有しており、当該後方ガイド部８０と前方ガイド部８２との上部において先細形状の上端部８４が形成されている。
【００９６】
前側上部ガイド７４Ａの下端部は、図９に示すように切替器７０の配置間隔と同じ間隔を空けて櫛歯状に形成されている。このため前側上部ガイド７４Ａと切替器７０の上端部８４とは互いに遊嵌しつつ噛合した状態となっている。
【００９７】
また前側下部ガイド７４Ｂの上端部は、図９に示すように切替器７０の配置間隔と同じ間隔を空けて櫛歯状に形成されている。このため前側下部ガイド７４Ｂと切替器７０の下端部８７とは互いに遊嵌しつつ噛合した状態となっている。
【００９８】
さらに後側ガイド７２（図７及び図８）の前側面には、切替器７０と対向する位置に図示しない切り込みが形成されており、当該切替器７０を後側ガイド７２の前側面よりも後方へ入り込ませるようになされている。
【００９９】
図８に示した下層搬送状態において、切替器７０は時計回りに回動しており、後方ガイド部８０が、前側上部ガイド７４Ａ及び前側下部ガイド７４Ｂの後端面と前後方向が同じ位置へ配置されることにより、入出口４６と下側収納スペース４８Ｂとの間で搬送路５２を搬送される紙幣の前面をガイドしている。
【０１００】
この状態においては切替器７０の上端部８４が前側上部ガイド７４Ａに入り込むことにより、先端８５が当該前側上部ガイド７４Ａの後端面よりも前側に位置していると共に、下端部８７が前側下部ガイド７４Ｂに入り込むことにより、当該前側下部ガイド７４Ｂの後端面よりも前側に位置している。このため切替器７０は、上端部８４又は下端部８７を搬送路５２に突出させてしまい紙幣の搬送を妨げてしまうことなく、円滑に搬送させることができる。
【０１０１】
また切替器７０は、この下層搬送状態、すなわち上層遮断状態においては、入出口４６と上側収納スペース４８Ａとの間の搬送路５２を遮断することにより、入出口４６と上側収納スペース４８Ａとの間の紙幣の受け渡しを規制すると共に、入出口４６から上側収納スペース４８Ａに対する外部からのアクセスを防止する。
【０１０２】
一方図７に示す上層搬送状態において、切替器７０は反時計回りに回動しており、前方ガイド部８２と搬送ローラ５８Ａとの間には隙間ＳＰが形成されており、当該隙間ＳＰを介し紙幣を通過させると共に、当該前方ガイド部８２により紙幣の後面をガイドしている。
【０１０３】
この状態においては切替器７０の上端部８４が後側ガイド７２に入り込み、先端８５が当該後側ガイド７２の前端面よりも後側に位置している。このため切替器７０は、上端部８４を搬送路５２に突出させてしまい紙幣の搬送を妨げてしまうことなく、円滑に搬送させることができる。
【０１０４】
［１−４．動作及び効果］
以上の構成において、前面扉２２Ａが閉鎖された前面扉閉鎖状態において現金自動取引装置１は、切替器７０を上層搬送状態又は下層搬送状態で切り替えることにより、入出口４６と、上側収納スペース４８Ａ又は下側収納スペース４８Ｂとの搬送路５２を形成する。
【０１０５】
一方前面扉２２Ａが開放されたことを扉センサの検出結果から検知すると、この前面扉開放状態において現金自動取引装置１は、切替器７０を下層搬送状態（上層遮断状態）に切り替えることにより、下側収納スペース４８Ｂよりも入出口４６近傍に位置する上側収納スペース４８Ａと当該入出口４６との間の搬送路５２を遮断する。
【０１０６】
これにより現金自動取引装置１は、入出口４６から上側収納スペース４８Ａへのアクセスを防止して紙幣の抜取を防ぎ、セキュリティを向上できる。
【０１０７】
従来の現金自動取引装置においては、前面扉開放状態における切替器７０の位置は特に考慮されていなかったため、前面扉開放状態において切替器７０が上層搬送状態であった場合、入出口４６を介し上側収納スペース４８Ａにアクセスされてしまう可能性があった。
【０１０８】
この場合従来の現金自動取引装置は、紙幣を抜き取る方向への回転が防止されたフィードローラ６０とゲートローラ６２との間の摩擦力により紙幣の抜き取りを防止していた。
【０１０９】
しかしながらその場合、フィードローラ６０及びゲートローラ６２の周囲の空間から紙幣が抜き取られてしまう可能性があった。これに対し本実施の形態による現金自動取引装置１は、フィードローラ６０及びゲートローラ６２よりも入出口４６に近い位置において搬送路５２を塞ぐことにより、紙幣を抜き取る空間が遮断され、より一層紙幣の抜き取りを防止できる。
【０１１０】
本実施の形態による２金種紙幣収納庫４２は、切替器７０の下層搬送状態においては上側収納スペース４８Ａへの搬送路５２を遮断する上層遮断状態となる一方、上層搬送状態においては下側収納スペース４８Ｂへの搬送路５２を遮断する下層遮断状態となるように構成されている。
【０１１１】
このため現金自動取引装置１は、紙幣の搬送先を切り替えるために元々用いていた切替器を用いて、当該切替器の動作を制御することにより、上側収納スペース４８Ａへのアクセスを防止できるため、部材を追加することなく簡易な構成でセキュリティを向上できる。
【０１１２】
さらに現金自動取引装置１は、下側収納スペース４８Ｂよりも入出口４６に近接しており当該入出口４６から工具等を挿入されてアクセスがされやすい上側収納スペース４８Ａを特に保護することができる。
【０１１３】
以上の構成により現金自動取引装置１は、所定の空間を内部に具える下部筐体２２と、下部筐体２２内に収納された収納状態から引き出されることにより引出状態となる下部ユニット２６と、下部ユニット２６に対し着脱可能に構成された２金種紙幣収納庫４２に内蔵され、内部に紙幣を収納する上側収納スペース４８Ａと、当該２金種紙幣収納庫４２において上側収納スペース４８Ａに隣接して内蔵され、内部に紙幣を収納する下側収納スペース４８Ｂと、２金種紙幣収納庫４２の外部と内部とで紙幣を受け渡す入出口４６から分岐箇所５４において分岐し上側収納スペース４８Ａと下側収納スペース４８Ｂとにそれぞれ繋がり紙幣を搬送させる搬送路５２と、搬送路５２における分岐箇所５４に配され、入出口４６から上側収納スペース４８Ａまでの間を紙幣を搬送させるか、又は当該入出口４６から下側収納スペース４８Ｂまでの間を紙幣を搬送させるかを切り替えると共に、２金種紙幣収納庫４２の入出口４６が下部筐体２２の外部に露出する際、入出口４６から上側収納スペース４８Ａへの搬送路５２を遮断する切替器７０とを設けるようにした。
【０１１４】
これにより現金自動取引装置１は、２金種紙幣収納庫４２の外部から入出口４６を介し上側収納スペース４８Ａの紙幣へアクセスされることを防止できる。
【０１１５】
［２．第２の実施の形態］
［２−１．２金種紙幣収納庫の構成］
図２に示す第２の実施の形態による現金自動取引装置１０１は、第１の実施の形態による現金自動取引装置１と比べて、図１０に示す２金種紙幣収納庫１４２における搬送切替機構１７１が２金種紙幣収納庫４２における搬送切替機構７１と異なっているものの、それ以外は同様に構成されている。
【０１１６】
切替器１７０の下方には、支点シャフト９１、伝達部９２及び固定ピン９３から構成されたリンク機構９０が設けられている。
【０１１７】
図１２に示すように支点シャフト９１は、２金種紙幣収納庫１４２の収納庫左側板１４２Ｌ及び収納庫右側板１４２Ｒに左端部及び右端部がそれぞれ固定されており、左右方向に沿って延在している。なお図１２は、図１１に示すロック状態を表しており、後側ガイド７２は図示せず省略している。
【０１１８】
伝達部９２は円柱形状であり、支点シャフト９１を支点として図１０及び図１１中時計回り及び反時計回りに回動可能に構成されている。この伝達部９２は、図示しないスプリングにより図中時計回りに付勢されると共に、現金自動取引装置１０１から供給される電力によって稼働する図示しないソレノイドにより図中反時計回りに付勢されている。
【０１１９】
伝達部９２の後端部には、上下方向に延びる円柱形状の固定ピン９３が接続されている。この固定ピン９３は、伝達部９２の回動に伴って上下方向に沿って往復移動する。
【０１２０】
切替器シャフト１７８には、固定ピン９３の長手方向の上方の延長線上に、当該固定ピン９３を内部に挿嵌するシャフト孔部９５が上下方向に沿って貫通して穿設されている。
【０１２１】
このような伝達部９２及び固定ピン９３が支点シャフト９１の左右両端部分に設けられ、当該固定ピン９３に対応するシャフト孔部９５が切替器シャフト１７８の左右両端部分に設けられている。
【０１２２】
［２−２．動作及び効果］
以上の構成において、２金種紙幣収納庫１４２が紙幣収納部３４に格納された状態においては、現金自動取引装置１０１から２金種紙幣収納庫１４２に電力が供給されることによりソレノイドが稼働し、当該ソレノイドは、図１０に示すように支点シャフト９１を支点にしてスプリングの付勢力に逆らって伝達部９２を図中反時計回りに回動させる。
【０１２３】
このため伝達部９２は、固定ピン９３を下方向に移動させ、切替器シャフト１７８のシャフト孔部９５から外れた状態とする。これにより切替器１７０が回動可能な状態となり、当該切替器１７０のロックが外れたロック解除状態となる。
【０１２４】
一方２金種紙幣収納庫１４２が紙幣収納部３４から取り出された状態においては、現金自動取引装置１０１から２金種紙幣収納庫１４２への電力の供給が遮断されることによりソレノイドの稼働が停止し、スプリングが図１１に示すように支点シャフト９１を支点にして伝達部９２を図中時計回りに回動させる。
【０１２５】
このため伝達部９２は、固定ピン９３を上方向に移動させ、切替器シャフト１７８のシャフト孔部９５へ挿入する。これにより切替器１７０が回動不可能な状態となり、当該切替器１７０がロックされたロック状態となる。
【０１２６】
このように現金自動取引装置１０１は、前面扉２２Ａが開放された際に現金自動取引装置１と同様に上層遮断状態へ移行し、さらに２金種紙幣収納庫１４２が紙幣収納部３４から引き抜かれた際にロック状態へ移行することにより、セキュリティをさらに向上できる。
【０１２７】
また現金自動取引装置１０１は、前面扉２２Ａを開放されただけの状態よりも、２金種紙幣収納庫１４２が紙幣収納部３４から取り出されたときの方が、当該２金種紙幣収納庫１４２の内部へアクセスされる危険性が高まる。これに対し現金自動取引装置１０１は、２金種紙幣収納庫１４２から紙幣を抜き取られる危険性に対応して、前面扉開放状態よりも紙幣収納庫取出状態においてよりセキュリティを高めることができる。
【０１２８】
また現金自動取引装置１０１は、２金種紙幣収納庫４２が紙幣収納部３４から引き抜かれて電力の供給が遮断されることを利用し、２金種紙幣収納庫４２が紙幣収納部３４から取り出されただけで、スプリングの付勢力によりロック状態へ移行させるようにしたことにより、簡易な構成でセキュリティを向上できる。
【０１２９】
［３．第３の実施の形態］
［３−１．２金種紙幣収納庫の構成］
図２に示す第３の実施の形態による現金自動取引装置２０１は、第１の実施の形態による現金自動取引装置１と比べて、図１３に示す２金種紙幣収納庫２４２における搬送切替機構２７１が２金種紙幣収納庫４２における搬送切替機構７１と異なっているものの、それ以外は同様に構成されている。
【０１３０】
図１３に示すように切替器２７０は、上端部２８４の形状が、切替器７０の上端部８４と比べて、前方に向かって大きく湾曲している。このため図１３に示す下層搬送状態においては、図８に示した下層搬送状態よりも上端部８４の先端２８５がさらに前方に位置することにより、当該先端２８５は前側上部ガイド７４Ａの前側面近傍に位置している。
【０１３１】
図８に示した切替器７０は、入出口４６から工具を挿入され、切替器７０の先端８５に引っ掛けて当該切替器７０を無理矢理反時計回りに回動させることにより、上側収納スペース４８Ａへの搬送路５２の遮断を解除され、紙幣を抜き取られる可能性も考えられる。
【０１３２】
これに対し本実施の形態においては、切替器２７０の先端２８５を搬送路５２から前側上部ガイド７４Ａの手前側へさらに退避させることにより、図１３に示すように入出口４６から工具Ｔを挿入されても、前側上部ガイド７４Ａにより当該工具Ｔの侵入を防止し、より一層切替器２７０の先端２８５にアクセスしにくくできる。
【０１３３】
また現金自動取引装置２０１は、切替器２７０の後方ガイド部２８０の形状は切替器７０と同様にすることにより、下層搬送状態における搬送路５２は維持しつつ、セキュリティを一層向上できる。
【０１３４】
［４．他の実施の形態］
なお上述した実施の形態においては、扉センサにより前面扉２２Ａが開けられたことを検知した際、切替器７０、１７０又は２７０を上層遮断状態（下層搬送状態）へ回動させる場合について述べた。
【０１３５】
本発明はこれに限らず、前面扉２２Ａと切替器７０、１７０又は２７０とを所定のリンクで物理的に接続し、当該前面扉２２Ａが開放される際の機構的な動きをリンクを介して切替器７０、１７０又は２７０に伝達させ、当該切替器７０、１７０又は２７０を上層遮断状態へ回動させても良い。
【０１３６】
その場合前面扉は、本実施の形態のような、下部筐体２２の前面の所定の縁を支点として回動し開閉する前面扉２２Ａに限らず、例えばスライドして移動し開閉する前面扉の場合等、当該前面扉の動きに対応させてリンクを介し切替器７０、１７０又は２７０に力を伝達させれば良い。
【０１３７】
また、スプリングにより時計回りに付勢しつつソレノイドで反時計回りへ回動させる機構を設け、前面扉２２Ａが開放された際にソレノイドの稼働を停止することによりスプリングの付勢力で切替器７０、１７０又は２７０を時計回りに回動させ、上層遮断状態としても良い。
【０１３８】
また上述した第２の実施の形態においては、２金種紙幣収納庫１４２が紙幣収納部３４から引き抜かれ、現金自動取引装置１０１から２金種紙幣収納庫１４２への電力の供給が遮断された際、スプリングの付勢力により切替器１７０をロック状態とする場合について述べた。
【０１３９】
本発明はこれに限らず、例えば、ロック解除状態においては、伝達部９２の時計回りの回動を紙幣収納部３４に設けた所定の機構により規制し、２金種紙幣収納庫１４２が紙幣収納部３４から上方向に移動すると当該所定の機構が伝達部９２から外れ、当該伝達部９２が時計回りに回動することによりロック状態となる等、２金種紙幣収納庫１４２が紙幣収納部３４から引き抜かれた際の物理的な動きを利用することにより、切替器１７０をロック状態へ移行させても良い。
【０１４０】
さらに上述した第２の実施の形態においては、前面扉２２Ａが開放された際に、切替器１７０を上層遮断状態へ回動させると共に、種々の機構によりリンク機構を動作させてロック状態へ移行させても良い。
【０１４１】
これにより２金種紙幣収納庫１４２が紙幣収納部３４から取り外されていなくても、下部ユニット２６が下部筐体２２から引き出されただけで、２金種紙幣収納庫１４２から紙幣が抜き出される可能性はあるため、よりセキュリティを向上できる。
【０１４２】
さらに上述した実施の形態においては、前面扉２２Ａが開放された際には切替器７０、１７０又は２７０を上層遮断状態へ回動させずに、２金種紙幣収納庫４２、１４２又は２４２が紙幣収納部３４から引き抜かれた際に、切替器７０、１７０又は２７０を上層遮断状態へ回動させると共に、リンク機構を動作させてロック状態へ移行させても良い。
【０１４３】
要は、２金種紙幣収納庫４２、１４２又は２４２の入出口４６が現金自動取引装置１、１０１又は２０１の下部筐体２２の外部に露出し、当該入出口４６を介し２金種紙幣収納庫４２、１４２又は２４２から紙幣が抜き取られる可能性がある際に、上側収納スペース４８Ａへの搬送路５２を遮断すれば良い。
【０１４４】
さらに上述した実施の形態においては、切替器７０、１７０又は２７０の回動を制御することにより、入出口４６から上側収納スペース４８Ａへの搬送路５２を遮断する場合について述べた。本発明はこれに限らず、例えば板材又はフィルム材等をシャッタのように搬送路５２中に出し入れすることにより、搬送路５２又は入出口４６を塞いでも良い。
【０１４５】
さらに上述した第３の実施の形態において、切替器２７０の先端２８５が、前側上部ガイド７４Ａの前側面よりもさらに前方へ位置する形状にしても良い。
【０１４６】
さらに上述した第１の実施の形態においては、下層搬送状態よりもさらに切替器７０を時計回りに回動させることにより、先端８５をさらに前方へ退避させ、外部から切替器７０の上端部８４へのアクセスを防止しても良い。
【０１４７】
すなわち、３段階の回動位置に回動可能な切替器を用いて、第１の実施の形態における下層搬送状態及び上層搬送状態に対し、当該下層搬送状態からさらに時計回りに回動した状態を上層遮断状態として加えても良い。
【０１４８】
さらに上述した第２の実施の形態においては、切替器シャフト１７８に穿設されたシャフト孔部９５に固定ピン９３を挿入することにより、ロック状態とする場合について述べた。本発明はこれに限らず、例えば切替器シャフト１７８を挟み込んだり、切替器１７０自体を固定したりする等、種々の機構により切替器１７０の回転を防止して良い。
【０１４９】
またシャフト孔部９５は、切替器シャフト１７８を貫通している必要はなく、固定ピン９３が挿嵌される開口部と、当該固定ピン９３が挿入される窪みとが形成されていれば良い。
【０１５０】
さらに上述した実施の形態においては、下側収納スペース４８Ｂよりも入出口４６の近傍に配された上側収納スペース４８Ａへの搬送路５２を遮断する場合について述べた。本発明はこれに限らず、２つの収納スペースが、互いに入出口に対し同じ距離に配されている場合、より高い金額の紙幣を収納する収納スペースへの搬送路を遮断するようにしても良い。
【０１５１】
さらに上述した実施の形態においては、上側収納スペース４８Ａへの搬送路５２のみを遮断する場合について述べたが、本発明はこれに限らず、左右方向に沿って複数個並んでいる切替器のうち例えば左半分は上側収納スペース４８Ａへの搬送路５２を遮断するよう回動させ、右半分は下側収納スペース４８Ｂへの搬送路５２を遮断するように回動させても良い。この場合、上側収納スペース４８Ａ及び下側収納スペース４８Ｂの両方へのアクセスを禁止できる。
【０１５２】
さらに上述した実施の形態においては、上側収納スペース４８Ａと下側収納スペース４８Ｂとの２つの収納スペースを有する２金種紙幣収納庫４２、１４２又は２４２に本発明を適用する場合について述べたが、本発明はこれに限らず、例えば３つ以上の収納スペースを有する紙幣収納庫に本発明を適用しても良い。
【０１５３】
要は、２つ以上の収納スペースを内蔵する紙幣収納庫に設けられた１つの入出口から紙幣を出し入れし、切替器によって一方の収納スペースへの搬送路と他方の収納スペースへの搬送路を切り替えるものであれば良い。
【０１５４】
さらに上述した実施の形態においては、上側収納スペース４８Ａと下側収納スペース４８Ｂとを内蔵する２金種紙幣収納庫４２、１４２又は２４２に本発明を適用する場合について述べた。
【０１５５】
本発明はこれに限らず、特願２０１２−１２０８９１に示すような、紙幣を集積させる１つの収納スペースを内部に有する筐体である集積庫が複数個上下に重なって紙幣収納部のスロットに配置され、上側の集積庫の天板に設けられた入出口から、上側の集積庫の収納スペース及び下側の集積庫の収納スペースまでの搬送路を、上側の集積庫内に設けられた切替器によって切り替える紙幣収納庫に本発明を適用しても良い。その場合、上側に配置された集積庫が紙幣収納部から取り出された際に、入出口から上側の集積庫内の収納スペースへの搬送路を遮断すれば良い。
【０１５６】
さらに上述した実施の形態においては、天板に入出口４６が穿設され上下方向に沿って収納スペースが配された紙幣収納庫４４、１４４又は２４４において上側収納スペース４８Ａへの搬送路５２を遮断する際に本発明を適用する場合について述べた。本発明はこれに限らず、底板に入出口が穿設され上下方向に沿って収納スペースが配された紙幣収納庫において下側収納スペースへの搬送路を遮断する際に本発明を適用しても良い。
【０１５７】
また、右側板に入出口が穿設され左右方向に沿って収納スペースが配された紙幣収納庫において右側収納スペースへの搬送路を遮断する際や、左側板に入出口が穿設され左右方向に沿って収納スペースが配された紙幣収納庫において左側収納スペースへの搬送路を遮断する際に本発明を適用しても良い。
【０１５８】
さらに、前側板に入出口が穿設され前後方向に沿って収納スペースが配された紙幣収納庫において前側収納スペースへの搬送路を遮断する際や、後側板に入出口が穿設され前後方向に沿って収納スペースが配された紙幣収納庫において後側収納スペースへの搬送路を遮断する際に本発明を適用しても良い。
【０１５９】
さらに上述した実施の形態においては、紙幣収納部に対し上下方向に紙幣収納庫を移動させることにより当該紙幣収納庫を紙幣収納部に対し着脱させる場合について述べた。本発明はこれに限らず、例えば横移動や前後移動させることにより紙幣収納庫を紙幣収納部に対し着脱させても良い。
【０１６０】
さらに上述した実施の形態においては、紙幣等の現金を取引する現金自動取引装置において、媒体としての紙幣について搬送処理及び収納処理等の各処理を行うようにした場合について述べた。
【０１６１】
しかしながら本発明はこれに限らず、例えば商品券や金券、入場券等のような薄い紙状の媒体を搬送処理及び収納処理等の各処理を行う種々の装置に適用するようにしても良い。
【０１６２】
さらに上述した実施の形態においては、筐体としての下部筐体２２と、ユニットとしての下部ユニット２６と、第１収納部としての上側収納スペース４８Ａと、第２収納部としての下側収納スペース４８Ｂと、搬送路としての搬送路５２と、遮断部としての切替器７０、１７０又は２７０と、扉としての前面扉２２Ａと、ロック部としてのリンク機構９０、並びに切替器シャフト７８又は１７８とによって、媒体収納装置としての現金自動取引装置１、１０１又は２０１を構成する場合について述べた。
【０１６３】
しかしながら本発明はこれに限らず、その他種々の構成でなる筐体と、ユニットと、第１収納部と、第２収納部と、搬送路と、遮断部と、扉と、ロック部とによって媒体収納装置を構成するようにしても良い。
【０１６４】
さらに上述した実施の形態においては、筐体としての下部筐体２２と、ユニットとしての下部ユニット２６と、接客部としての接客部１３と、第１収納部としての上側収納スペース４８Ａと、第２収納部としての下側収納スペース４８Ｂと、搬送路としての搬送路５２と、遮断部としての切替器７０、１７０又は２７０とによって、媒体取引装置としての現金自動取引装置１、１０１又は２０１を構成する場合について述べた。
【０１６５】
しかしながら本発明はこれに限らず、その他種々の構成でなる筐体と、ユニットと、接客部と、第１収納部と、第２収納部と、搬送路と、遮断部とによって媒体取引装置を構成するようにしても良い。
【産業上の利用可能性】
【０１６６】
本発明は、媒体の搬送先を切り替える切替器を有する媒体収納庫でも利用できる。
【符号の説明】
【０１６７】
１、１０１、２０１……現金自動取引装置、１０……筐体、１３……接客部、１４……入金口、１６……出金口、１８……表示操作部、２０……上部筐体、２２……下部筐体、２２Ａ……前面扉、２４……上部ユニット、２６……下部ユニット、２８……紙幣搬送路、２９……切替器、３０……鑑別部、３１……一時保留部、３２……制御部、３４……紙幣収納部、３８……リジェクト庫、４０……１金種紙幣収納庫、４２、１４２、２４２、３４２……２金種紙幣収納庫、４２Ｌ……収納庫左側板、４２Ｒ……収納庫右側板、４４……紙幣収納庫、４６……入出口、４８Ａ……上側収納スペース、４８Ｂ……下側収納スペース、５２……搬送路、５４……分岐箇所、５６……アイドルローラ、５８……搬送ローラ、６０……フィードローラ、６２……ゲートローラ、６４……舌片、６６……ピッカローラ、６８……ステージ、７０、１７０、２７０、３７０……切替器、７１、１７１、２７１……搬送切替機構、７２……後側ガイド、７４……前側ガイド、７４Ａ……前側上部ガイド、７４Ｂ……前側下部ガイド、７６……ローラシャフト、７８、１７８……切替器シャフト、８０……後方ガイド部、８２……前方ガイド部、８４、２８４……上端部、８５、２８５……先端、８７……下端部、９０……リンク機構、９１……支点シャフト、９２……伝達部、９３……固定ピン、９５……シャフト孔部。
【図１】
2014191447.tif 000003
【図２】
2014191447.tif 000004
【図３】
2014191447.tif 000005
【図４】
2014191447.tif 000006
【図５】
2014191447.tif 000007
【図６】
2014191447.tif 000008
【図７】
2014191447.tif 000009
【図８】
2014191447.tif 000010
【図９】
2014191447.tif 000011
【図１０】
2014191447.tif 000012
【図１１】
2014191447.tif 000013
【図１２】
2014191447.tif 000014
【図１３】
2014191447.tif 000015
【図１４】
2014191447.tif 000016